(57)【特許請求の範囲】
【請求項１】
第１表示部と、
第２表示部と、
前記第１表示部を有する第１キャビネットと、
前記第２表示部を有する第２キャビネットと、
前記第２キャビネットが前記第１キャビネットの背後に位置する第１形態と、前記第１キャビネットと前記第２キャビネットとが並び、前記第１表示部および前記第２表示部が並んで外部に露出する第２形態とで切り替え可能なように前記第１キャビネットと前記第２キャビネットを連結させる機構部と、
前記第１表示部に対する入力を検出する第１検出部と、
前記第２表示部に対する入力を検出する第２検出部と、
前記第１表示部および前記第２表示部の表示を制御する表示制御部と、
前記第２形態において、前記第１検出部および前記第２検出部のいずれか一方により検出された前記入力に応じたアプリケーションの実行画面を、当該実行画面の表示サイズが前記第１表示部の第１表示領域および前記第２表示部の第２表示領域が合わされて１つの領域とみなされた第３表示領域のアスペクト比に適合する第１表示形態で、前記第３表示領域に表示することが可能か否かを前記アプリケーションに含まれる情報に基づいて判断する判断部とを備え、
前記表示制御部は、
前記判断部により前記実行画面を前記第１表示形態で前記第３表示領域に表示できないと判断されると、前記第１表示領域および前記第２表示領域の一方の表示領域に対応した第２表示形態で前記実行画面を前記第３表示領域に表示し、
前記実行画面を表示する表示領域を前記第３表示領域から前記一方の表示領域に切り替える入力が前記第１検出部および前記第２検出部のいずれか一方により検出されると、前記実行画面を前記第２表示形態で前記一方の表示領域に表示し、所定の機能を示す画像を他方の表示領域に表示する、
ことを特徴とする携帯端末装置。
【請求項２】
請求項１に記載の携帯端末装置において、
記憶部をさらに備え、
前記実行画面を表示する前記表示領域を前記第３表示領域から前記一方の表示領域に切り替える前記入力が検出されると、前記第２形態において前記実行画面を前記第２表示形態で表示する表示領域として前記一方の表示領域が前記記憶部に記憶される、
ことを特徴とする携帯端末装置。
【請求項３】
請求項１または２に記載の携帯端末装置において、
前記表示制御部は、前記判断部により前記実行画面を前記第１表示形態で前記第３表示領域に表示できると判断されると、前記実行画面を前記第１表示形態で前記第３表示領域に表示する、
ことを特徴とする携帯端末装置。
【請求項４】
請求項１ないし３のいずれか一項に記載の携帯端末装置において、
前記画像が示す機能を実行する実行部をさらに備え、
前記実行部は、前記所定の機能を示す画像を選択する入力が前記第１検出部および前記第２検出部のいずれか一方により検出されると、選択された前記画像が示す前記機能を実行する、
ことを特徴とする携帯端末装置。
【請求項５】
第１表示部と、第２表示部と、前記第１表示部を有する第１キャビネットと、前記第２表示部を有する第２キャビネットと、前記第２キャビネットが前記第１キャビネットの背後に位置する第１形態と、前記第１キャビネットと前記第２キャビネットとが並び、前記第１表示部および前記第２表示部が並んで外部に露出する第２形態とで切り替え可能なように前記第１キャビネットと前記第２キャビネットを連結させる機構部と、前記第１表示部に対する入力を検出する第１検出部と、前記第２表示部に対する入力を検出する第２検出部とを備える携帯端末装置のコンピュータに、
前記第２形態において、前記第１検出部および前記第２検出部のいずれか一方により検出された前記入力に応じたアプリケーションの実行画面を、当該実行画面の表示サイズが前記第１表示部の第１表示領域および前記第２表示部の第２表示領域が合わされて１つの領域とみなされた第３表示領域のアスペクト比に適合する第１表示形態で、前記第３表示領域に表示することが可能か否かを前記アプリケーションに含まれる情報に基づいて判断する機能と、
前記実行画面を前記第１表示形態で前記第３表示領域に表示できない場合、前記第１表示領域および前記第２表示領域の一方の表示領域に対応した第２表示形態で前記実行画面を前記第３表示領域に表示する機能と、
前記実行画面を表示する表示領域を前記第３表示領域から前記一方の表示領域に切り替える入力が前記第１検出部および前記第２検出部のいずれか一方により検出されると、前記実行画面を前記第２表示形態で前記一方の表示領域に表示し、所定の機能を示す画像を他方の表示領域に表示する機能と、
を付与するプログラム。
【請求項６】
第１表示部と、第２表示部と、前記第１表示部を有する第１キャビネットと、前記第２表示部を有する第２キャビネットと、前記第２キャビネットが前記第１キャビネットの背後に位置する第１形態と、前記第１キャビネットと前記第２キャビネットとが並び、前記第１表示部および前記第２表示部が並んで外部に露出する第２形態とで切り替え可能なように前記第１キャビネットと前記第２キャビネットを連結させる機構部と、前記第１表示部に対する入力を検出する第１検出部と、前記第２表示部に対する入力を検出する第２検出部とを備える携帯端末装置の表示方法において、
前記第２形態において、前記第１検出部および前記第２検出部のいずれか一方により検出された前記入力に応じたアプリケーションの実行画面を、当該実行画面の表示サイズが前記第１表示部の第１表示領域および前記第２表示部の第２表示領域が合わされて１つの領域とみなされた第３表示領域のアスペクト比に適合する第１表示形態で、前記第３表示領域に表示することが可能か否かを前記アプリケーションに含まれる情報に基づいて判断するステップと、
前記実行画面を前記第１表示形態で前記第３表示領域に表示できないと判断されると、前記第１表示領域および前記第２表示領域の一方の表示領域に対応した第２表示形態で前記実行画面を前記第３表示領域に表示するステップと、
前記実行画面を表示する表示領域を前記第３表示領域から前記一方の表示領域に切り替える入力が前記第１検出部および前記第２検出部のいずれか一方により検出されると、前記実行画面を前記第２表示形態で前記一方の表示領域に表示し、所定の機能を示す画像を他方の表示領域に表示するステップと、
を含むことを特徴とする表示方法。
【発明の詳細な説明】
【技術分野】
【０００１】
本発明は、携帯電話機やＰＤＡ（Personal Digital Assistant）等の携帯端末装置、プログラムおよび表示方法に関するものである。
【背景技術】
【０００２】
従来、２つの表示面を有する携帯端末装置が知られている。このような携帯端末装置には、アプリケーションプログラム（以下、「アプリケーション」と言う。）を実行し、アプリケーションに基づく画面を第１および第２表示面のそれぞれに表示する機能が設けられている（たとえば、特許文献１参照）。
【先行技術文献】
【特許文献】
【０００３】
【特許文献１】特開平９−３０５２６２号公報
【発明の概要】
【発明が解決しようとする課題】
【０００４】
上記の構成では、第１表示面および第２表示面を合わした表示領域に対応させてアプリケーションの画面を表示するように、アプリケーションが設定されていない場合がある。このような表示領域にアプリケーションの画面を表示しようとすると、表示に不具合が生じる。たとえば、画面の内容が鮮明に表示されなかったり、画面が表示領域の中央や端などに表示されて、画面の周囲が黒くなったり、画面が引き延ばされて表示されたりする。このため、２つの表示面により表示領域が拡大されても、拡大された表示領域が有効に利用されていない。
【０００５】
本発明は、かかる課題に鑑みてなされたものであり、ユーザが表示領域を有効に利用可能な、複数の表示部を有する携帯端末装置を提供することを目的とする。
【課題を解決するための手段】
【０００６】
この発明の第１態様に係る携帯端末装置は、第１表示部と、第２表示部と、前記第１表示部を有する第１キャビネットと、前記第２表示部を有する第２キャビネットと、前記第２キャビネットが前記第１キャビネットの背後に位置する第１形態と、前記第１キャビネットと前記第２キャビネットとが並び、前記第１表示部および前記第２表示部が並んで外部に露出する第２形態とで切り替え可能なように前記第１キャビネットと前記第２キャビネットを連結させる機構部と、前記第１表示部に対する入力を検出する第１検出部と、前記第２表示部に対する入力を検出する第２検出部と、前記第１表示部および前記第２表示部の表示を制御する表示制御部と、前記第２形態において、前記第１検出部および前記第２検出部のいずれか一方により検出された前記入力に応じたアプリケーションの実行画面を、当該実行画面の表示サイズが前記第１表示部の第１表示領域および前記第２表示部の第２表示領域が合わされて１つの領域とみなされた第３表示領域のアスペクト比に適合する第１表示形態で、前記第３表示領域に表示することが可能か否かを前記アプリケーションに含まれる情報に基づいて判断する判断部とを備える。ここで、前記表示制御部は、前記判断部により前記実行画面を前記第１表示形態で前記第３表示領域に表示できないと判断されると、前記第１表示領域および前記第２表示領域の一方の表示領域に対応した第２表示形態で前記実行画面を前記第３表示領域に表示し、前記実行画面を表示する表示領域を前記第３表示領域から前記一方の表示領域に切り替える入力が前記第１検出部および前記第２検出部のいずれか一方により検出されると、前記実行画面を前記第２表示形態で前記一方の表示領域に表示し、所定の機能を示す画像を他方の表示領域に表示する。
【０００８】
本態様に係る携帯端末装置において、記憶部をさらに備えるよう構成され得る。ここで、前記実行画面を表示する前記表示領域を前記第３表示領域から前記一方の表示領域に切り替える前記入力が検出されると、前記第２形態において前記実行画面を前記第２表示形態で表示する表示領域として前記一方の表示領域が前記記憶部に記憶される。
【０００９】
本態様に係る携帯端末装置において、前記表示制御部は、前記判断部により前記実行画面を前記第１表示形態で前記第３表示領域に表示できると判断されると、前記実行画面を前記第１表示形態で前記第３表示領域に表示するよう構成され得る。
【００１０】
本態様に係る携帯端末装置において、前記画像が示す機能を実行する実行部をさらに備えるよう構成され得る。ここで、前記実行部は、前記所定の機能を示す画像を選択する入力が前記第１検出部および前記第２検出部のいずれか一方により検出されると、選択された前記画像が示す前記機能を実行する。
【００１１】
この発明の第２態様に係るプログラムは、第１表示部と、第２表示部と、前記第１表示部を有する第１キャビネットと、前記第２表示部を有する第２キャビネットと、前記第２キャビネットが前記第１キャビネットの背後に位置する第１形態と、前記第１キャビネットと前記第２キャビネットとが並び、前記第１表示部および前記第２表示部が並んで外部に露出する第２形態とで切り替え可能なように前記第１キャビネットと前記第２キャビネットを連結させる機構部と、前記第１表示部に対する入力を検出する第１検出部と、前記第２表示部に対する入力を検出する第２検出部とを備える携帯端末装置のコンピュータに、前記第２形態において、前記第１検出部および前記第２検出部のいずれか一方により検出された前記入力に応じたアプリケーションの実行画面を、当該実行画面の表示サイズが前記第１表示部の第１表示領域および前記第２表示部の第２表示領域が合わされて１つの領域とみなされた第３表示領域のアスペクト比に適合する第１表示形態で、前記第３表示領域に表示することが可能か否かを前記アプリケーションに含まれる情報に基づいて判断する機能と、前記実行画面を前記第１表示形態で前記第３表示領域に表示できない場合、前記第１表示領域および前記第２表示領域の一方の表示領域に対応した第２表示形態で前記実行画面を前記第３表示領域に表示する機能と、前記実行画面を表示する表示領域を前記第３表示領域から前記一方の表示領域に切り替える入力が前記第１検出部および前記第２検出部のいずれか一方により検出されると、前記実行画面を前記第２表示形態で前記一方の表示領域に表示し、所定の機能を示す画像を他方の表示領域に表示する機能と、を付与する。
【００１２】
この発明の第３態様に係る表示方法は、第１表示部と、第２表示部と、前記第１表示部を有する第１キャビネットと、前記第２表示部を有する第２キャビネットと、前記第２キャビネットが前記第１キャビネットの背後に位置する第１形態と、前記第１キャビネットと前記第２キャビネットとが並び、前記第１表示部および前記第２表示部が並んで外部に露出する第２形態とで切り替え可能なように前記第１キャビネットと前記第２キャビネットを連結させる機構部と、前記第１表示部に対する入力を検出する第１検出部と、前記第２表示部に対する入力を検出する第２検出部とを備える携帯端末装置の表示方法において、前記第２形態において、前記第１検出部および前記第２検出部のいずれか一方により検出された前記入力に応じたアプリケーションの実行画面を、当該実行画面の表示サイズが前記第１表示部の第１表示領域および前記第２表示部の第２表示領域が合わされて１つの領域とみなされた第３表示領域のアスペクト比に適合する第１表示形態で、前記第３表示領域に表示することが可能か否かを前記アプリケーションに含まれる情報に基づいて判断するステップと、前記実行画面を前記第１表示形態で前記第３表示領域に表示できないと判断されると、前記第１表示領域および前記第２表示領域の一方の表示領域に対応した第２表示形態で前記実行画面を前記第３表示領域に表示するステップと、前記実行画面を表示する表示領域を前記第３表示領域から前記一方の表示領域に切り替える入力が前記第１検出部および前記第２検出部のいずれか一方により検出されると、前記実行画面を前記第２表示形態で前記一方の表示領域に表示し、所定の機能を示す画像を他方の表示領域に表示するステップと、を含む。
【発明の効果】
【００１３】
本発明によれば、ユーザが表示領域を有効に利用可能な、複数の表示部を有する携帯端
末装置、プログラムおよび表示方法を提供することができる。
【００１４】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００１５】
【図１】実施の形態に係る携帯電話機の外観構成を示す図である。
【図２】実施の形態に係る携帯電話機の状態の切り替えを説明するための図である。
【図３】実施の形態に係る携帯電話機の全体構成を示すブロック図である。
【図４】実施の形態に係る操作項目画面またはアプリケーションＡの画面Ａを各表示面に表示した図である。
【図５】実施の形態に係るアプリケーションＡの画面Ａを複合表示領域に表示した図である。
【図６】実施の形態に係るアプリケーションＡの画面Ａ１を第１表示面に表示し、ウィジェット一覧画面またはアプリケーションＡの画面Ａを第２表示面に表示した図である。
【図７】実施の形態に係るアプリケーションＡの画面Ａを複合表示領域に表示した図である。
【図８】実施の形態に係るアプリケーションＡの画面Ａを第１表示面に表示し、ウィジェット一覧画面またはアプリケーション画面を第２表示面に表示した図である。
【図９】実施の形態に係るアプリケーション画面を各表示面に表示する処理手順を示すフローチャートである。
【図１０】実施の形態に係るアプリケーション画面を各表示面に表示する処理手順を示すフローチャートである。
【図１１】実施の形態に係るアプリケーションＡの画面Ａを第１表示面に表示し、ウィジェット一覧画面を第２表示面に表示した図である。
【発明を実施するための形態】
【００１６】
以下、本発明の実施の形態について、図面を参照して説明する。
【００１７】
＜携帯電話機の構成＞
図１は、携帯電話機１の構成を示す分解斜視図である。携帯電話機１は、第１キャビネット１０と、第２キャビネット２０と、これら第１、第２キャビネット１０、２０を保持する保持体３０とで構成されている。
【００１８】
第１キャビネット１０は、横長の直方体形状を有する。第１キャビネット１０の正面には、第１タッチパネルおよび第１タッチキーが配されている。
【００１９】
第１タッチパネルは、第１ディスプレイ１１およびタッチセンサ（以下、「第１パネルセンサ」と言う。）１２を含む。
【００２０】
第１ディスプレイ１１は、ユーザの操作に応じた画像を第１表示面１１ａ１に表示する表示部に相当し、第１表示面１１ａ１は第１ディスプレイ１１の表示領域に相当する。第１ディスプレイ１１は、第１液晶パネル１１ａおよびバックライト（以下、「第１パネルバックライト」と言う。）１１ｂ（図３参照）で構成されている。第１液晶パネル１１ａの前面に第１表示面１１ａ１が備えられる。第１パネルバックライト１１ｂは、１つまたは複数の光源を含み、第１液晶パネル１１ａを照明する。
【００２１】
第１パネルセンサ１２は、第１表示面１１ａ１に対する入力を検出する検出部に相当す
る。第１パネルセンサ１２は、透明な長方形状のシートであり、第１ディスプレイ１１の第１表示面１１ａ１を覆う。第１パネルセンサ１２は、マトリクス状に配された第１透明電極と第２透明電極（図示せず）とを備えている。第１パネルセンサ１２は、これら透明電極間の静電容量の変化を検出することによって、ユーザが触れた第１表示面１１ａ１上の位置を検出し、その入力位置に応じた位置信号を出力する。なお、ユーザが第１表示面１１ａ１を触れるとは、たとえば、ユーザがペンなどの接触部材や指により第１表示面１１ａ１をタッチすることである。第１表示面１１ａ１にタッチした接触部材や指はユーザにより静止されてもよいし、移動されてもよい。また、接触部材や指が第１表示面１１ａ１にタッチしている時間は短くても、長くてもよい。
【００２２】
１つまたは複数、この実施形態では３つの第１タッチキーＫ１１、Ｋ１２、Ｋ１３（図４（ａ）参照）が、第１ディスプレイ１１に隣接して設けられる。各第１タッチキーＫ１１、Ｋ１２、Ｋ１３は、第１ディスプレイ１１に対して所定の情報を入力するためのキー部に相当する。各第１タッチキーＫ１１、Ｋ１２、Ｋ１３は、パネル（以下、「第１キーカバー」と言う。）１３ａ、バックライト（以下、「第１キーバックライト」と言う。）１３ｂ、およびタッチセンサ（以下、「第１キーセンサ」と言う。）１４を含む。第１キーカバー１３ａに所定の画像が表示される。
【００２３】
第１キーセンサ１４は、第１キーカバー１３ａに対する入力を検出する検出部に相当する。第１キーセンサ１４には静電容量の変化を検出するセンサなどが用いられる。このため、各第１タッチキーＫ１１、Ｋ１２、Ｋ１３の第１キーカバー１３ａに指や接触部材がタッチされると、第１キーセンサ１４は、静電容量の変化を検出し、検出信号を出力する。
【００２４】
第１キャビネット１０の内部には、中央やや後ろ位置にカメラモジュール１５が配されている。このカメラモジュール１５における被写体像を取り込むためのレンズ窓（図示せず）が、第１キャビネット１０の下面に設けられている。
【００２５】
また、第１キャビネット１０の内部には、前面近傍の中央位置に磁石１６が配されており、右前角部に磁石１７が配されている。
【００２６】
第１キャビネット１０の右側面および左側面には、突起部１８が設けられている。
【００２７】
第２キャビネット２０は、横長の直方体形状であって、第１キャビネット１０とほぼ同じ形状と大きさを有する。第２キャビネット２０には、第２タッチパネルおよび第２タッチキーが配されている。
【００２８】
第２タッチパネルは、第２ディスプレイ２１およびタッチセンサ（以下、「第２パネルセンサ」と言う。）２２を含む。
【００２９】
第２ディスプレイ２１は、ユーザの操作に応じた画像を第２表示面２１ａ１に表示する表示部に相当し、第２表示面２１ａ１は第２ディスプレイ２１の表示領域に相当する。第２ディスプレイ２１は、第２液晶パネル２１ａおよびバックライト（以下、「第２パネルバックライト」と言う。）２１ｂで構成されている。第２液晶パネル２１ａの前面に第２表示面２１ａ１が備えられる。第２パネルバックライト２１ｂは、１つまたは複数の光源を含み、第２液晶パネル２１ａを照明する。なお、第１ディスプレイ１１および第２ディスプレイ２１は、有機ＥＬ等他の表示素子により構成されてもよい。
【００３０】
第２パネルセンサ２２は、第２表示面２１ａ１に対する入力を検出する検出部に相当する。第２パネルセンサ２２は、第１パネルセンサ１２と同様の形状および構成を有する。
第２パネルセンサ２２は、第２ディスプレイ２１の第２表示面２１ａ１を覆い、ユーザが触れた第２表示面２１ａ１上の位置を検出し、その入力位置に応じた位置信号を出力する。
【００３１】
１つまたは複数、この実施形態では３つの第２タッチキーＫ２１、Ｋ２２、Ｋ２３（図４（ｃ）参照）が、第２ディスプレイ２１に隣接して設けられる。第２タッチキーＫ２１、Ｋ２２、Ｋ２３は、第２ディスプレイ２１に対して所定の情報を入力するためのキー部に相当する。各第２タッチキーＫ２１、Ｋ２２、Ｋ２３は、パネル（以下、「第２キーカバー」と言う。）２３ａ、バックライト（以下、「第２キーバックライト」と言う。）２３ｂ、およびタッチセンサ（以下、「第２キーセンサ」と言う。）２４（図３参照）を含む。
【００３２】
第２キーセンサ２４は、第２キーカバー２３ａに対する入力を検出する検出部に相当する。なお、第２キーセンサ２４の構成および機能は第１キーセンサ１４とほぼ同様である。
【００３３】
第２キャビネット２０の内部には、後面近傍の中央位置に磁石２５が配されている。
この磁石２５と第１キャビネット１０の磁石１６とは、後述する開状態で互いに引き合うよう配置されている。
【００３４】
第２キャビネット２０の内部において、右前角部には閉鎖センサ２６が配されている。閉鎖センサ２６は、たとえば、ホールＩＣなどで構成され、磁石１７の磁力を検出すると、センサ信号を出力する。後述する閉状態で、第１キャビネット１０の磁石１７が閉鎖センサ２６に接近するので、センサ信号が閉鎖センサ２６からＣＰＵ１００へ出力される。一方、開状態になると、第１キャビネット１０の磁石１７が閉鎖センサ２６から離れるので、閉鎖センサ２６からセンサ信号が出力されない。
【００３５】
第２キャビネット２０の両側面にはそれぞれ２つの軸部２７が設けられている。
【００３６】
保持体３０は、底板部３１と、底板部３１の右端部に形成された右保持部３２と、底板部３１の左端部に形成された左保持部３３とで構成されている。
【００３７】
底板部３１には、３つのコイルバネ３４が左右方向に並ぶように配されている。第２キャビネット２０が保持体３０に取り付けられた状態において、コイルバネ３４は、第２キャビネット２０の下面に当接し、第２キャビネット２０に対して上方に押し上げる力を付与する。
【００３８】
右保持部３２の上面にはマイク３５および電源キー３６が配されている。左保持部３３の上面には、スピーカ３８が配されている。また、右保持部３２の外側面には、複数のハードキー３７が配されている。
【００３９】
右保持部３２および左保持部３３の内側面には、案内溝３９（左保持部３３側のみ図示）が形成されている。案内溝３９は、上溝３９ａ、下溝３９ｂおよび２つの縦溝３９ｃとで構成されている。上溝３９ａおよび下溝３９ｂは前後方向に延び、縦溝３９ｃは、上溝３９ａと下溝３９ｂとを繋ぐように上下に延びる。
【００４０】
携帯電話機１を組み立てる際には、軸部２７が案内溝３９の下溝３９ｂに挿入され、第２キャビネット２０が保持体３０の収容領域Ｒ内に配置される。突起部１８が案内溝３９の上溝３９ａに挿入され、第１キャビネット１０が第２キャビネット２０の上に配置され、第１キャビネット１０が保持体３０の収容領域Ｒ内に収まる。
【００４１】
こうして、底板部３１、右保持部３２および左保持部３３に囲まれた収容領域Ｒの中に、第１キャビネット１０および第２キャビネット２０が上下に重なった状態で収容される。この状態では、第１キャビネット１０は、上溝３９ａに沿って前後にスライド可能である。第２キャビネット２０は、下溝３９ｂに沿って前後にスライド可能である。また、第２キャビネット２０が前方に移動し、軸部２７が縦溝３９ｃまで到達すると、第２キャビネット２０は、縦溝３９ｃに沿って上下にスライド可能となる。
【００４２】
図２（ａ）〜図２（ｄ）は、携帯電話機１を閉状態から開状態へ切り替えるための操作について説明するための図である。
【００４３】
図２（ａ）に示す閉状態では、第１キャビネット１０が第２キャビネット２０の上に重ねられて、携帯電話機１が畳まれる。閉状態は、第１キャビネット１０により第２表示面２１ａ１が覆われる第１形態に相当する。閉状態では、第１表示面１１ａ１のみが外部に露出する。
【００４４】
図２（ｂ）に示す矢印の方向に、第１キャビネット１０が後方に移動し、図２（ｃ）に示す矢印の方向に、第２キャビネット２０が前方へ引き出される。これにより、閉鎖センサ２６が磁石１７の磁力を検出せず、センサ信号を出力しなくなると、携帯電話機１は開状態に切り替えられる。この開状態では、第２表示面２１ａ１の一部が外部に現れる。
【００４５】
第２キャビネット２０が第１キャビネット１０に重ならなくなると、図１に示す軸部２７が縦溝３９ｃに入る。軸部２７が縦溝３９ｃに沿って動き、第２キャビネット２０は上下に移動可能になる。このとき、コイルバネ３４の弾性力と、磁石１６および磁石２５の引力とにより、第２キャビネット２０は上昇する。
【００４６】
図２（ｄ）に示すように、第２キャビネット２０が第１キャビネット１０と密着して並び、第２表示面２１ａ１が第１表示面１１ａ１と同じ高さになる。これにより、第１キャビネット１０および第２キャビネット２０が広げられて、第１表示面１１ａ１と第２表示面２１ａ１の双方が外部に露出する。
【００４７】
なお、開状態は、図２（ｂ）〜図２（ｄ）に示すように、第２表示面２１ａ１の少なくとも一部が外部に露出する第２形態に相当する。
【００４８】
また、突起部１８が案内溝３９の案内溝３９の上溝３９ａを移動し、軸部２７が下溝３９ｂ、縦溝３９ｃおよび上溝３９ａを移動することにより、閉状態および開状態が切り替えられる。このため、突起部１８、軸部２７および案内溝３９が閉状態および開状態を切替可能なように、第１キャビネット１０および第２キャビネット２０を連結させる機構部に相当する。
【００４９】
図３は、携帯電話機１の全体構成を示すブロック図である。本実施の形態の携帯電話機１は、上述した各構成要素の他、ＣＰＵ１００、メモリ２００、映像エンコーダ３０１、音声エンコーダ３０２、キー入力回路３０３、通信モジュール３０４、バックライト駆動回路３０５、映像デコーダ３０６、音声デコーダ３０７、バッテリー３０９および電源部３１０を備えている。
【００５０】
カメラモジュール１５はＣＣＤ等の撮像素子を有する。カメラモジュール１５は、撮像素子から出力された撮像信号をデジタル化し、その撮像信号にガンマ補正等の各種補正を施して映像エンコーダ３０１へ出力する。映像エンコーダ３０１は、カメラモジュール１５からの撮像信号にエンコード処理を施してＣＰＵ１００へ出力する。
【００５１】
マイク３５は、集音した音声を音声信号に変換して音声エンコーダ３０２へ出力する。音声エンコーダ３０２は、マイク３５からのアナログの音声信号をデジタルの音声信号に変換するとともに、デジタルの音声信号にエンコード処理を施してＣＰＵ１００へ出力する。
【００５２】
キー入力回路３０３は、電源キー３６やハードキー３７の各キーが押されたときに、各キーに応じた入力信号をＣＰＵ１００へ出力する。
【００５３】
通信モジュール３０４は、ＣＰＵ１００からのデータを無線信号に変換し、アンテナ３０４ａを介して基地局へ送信する。また、通信モジュール３０４は、アンテナ３０４ａを介して受信した無線信号をデータに変換してＣＰＵ１００へ出力する。
【００５４】
バックライト駆動回路３０５は、ＣＰＵ１００からの制御信号に応じた駆動信号を第１パネルバックライト１１ｂ、第１キーバックライト１３ｂ、第２パネルバックライト２１ｂおよび第２キーバックライト２３ｂに供給する。第１パネルバックライト１１ｂ、第１キーバックライト１３ｂ、第２パネルバックライト２１ｂおよび第２キーバックライト２３ｂは、それぞれバックライト駆動回路３０５による駆動信号により点灯し、第１液晶パネル１１ａ、第１キーカバー１３ａ、第２液晶パネル２１ａおよび第２キーカバー２３ａを照明する。
【００５５】
映像デコーダ３０６は、ＣＰＵ１００からの画像データを第１液晶パネル１１ａおよび第２液晶パネル２１ａで表示できる映像信号に変換し、これらを各液晶パネル１１ａ、２１ａに出力する。第１液晶パネル１１ａは、映像信号に応じた画像を第１表示面１１ａ１に表示する。第２液晶パネル２１ａは、映像信号に応じた画像を第２表示面２１ａ１に表示する。
【００５６】
音声デコーダ３０７は、ＣＰＵ１００からの音声信号と、着信音やアラーム音等の各種報知音の音信号とにデコード処理を施し、さらにアナログ信号に変換してスピーカ３８に出力する。スピーカ３８は、音声デコーダ３０７からの音声信号や音信号を再生する。
【００５７】
バッテリー３０９は、ＣＰＵ１００およびＣＰＵ１００以外の各部へ電力を供給するためのものであり、二次電池からなる。バッテリー３０９は電源部３１０に接続されている。
【００５８】
電源部３１０は、バッテリー３０９の電圧を各部に必要な大きさの電圧に変換して各部へ供給する。また、電源部３１０は、外部電源（図示せず）を介して供給された電力をバッテリー３０９へ供給して、バッテリー３０９を充電する。
【００５９】
メモリ２００は、ＲＯＭおよびＲＡＭを含む。
【００６０】
メモリ２００には、ＣＰＵ１００に制御機能を付与するための制御プログラムが記憶されている。かかる制御プログラムには、アプリケーションの画面を第１表示形態で複合表示領域１１ａ１、２１ａ１に表示できない場合、アプリケーションの画面を第２表示形態で第１表示面１１ａ１に表示し、所定の機能を示す画像を第２表示面２１ａ１に表示する制御プログラムが含まれる。また、通話、メール、ウェブブラウザおよび画像表示などの機能を実現する各種アプリケーションが記憶されている。
【００６１】
なお、アプリケーションの画面は、ユーザによる入力に応じた実行画面に相当する。複合表示領域１１ａ１、２１ａ１は、第１表示面１１ａ１および第２表示面２１ａ１が合わ
されて１つの領域とみなされた１つの第３表示領域に相当する。後述するように、第１表示形態は、複合表示領域に対応した表示の形式であり、第２表示形態は、第１表示面１１ａ１および第２表示面２１ａ１のそれぞれの単一表示領域に対応した表示の形式である。
【００６２】
また、アプリケーションにはウィジェットが含まれる。ウィジェットには、受信したメールの内容を表示するもの、ＳＮＳに対する書き込み内容を表示するもの、株価、ニュースおよび天気などの情報を表示するもの、時計、カレンダー、辞書、ならびに、計算機などがある。ウィジェットには、アプリケーションの一部の機能を有し、全ての機能を含むアプリケーションとリンクしたものがある。たとえば、メールに関するウィジェットには、最新の受信メールの内容を表示するものや、最新の着信履歴を表示するものなどがある。このような一部の機能を有するウィジェットでは、メールの作成や返信などの他の機能を持つアプリケーションとリンクしている。
【００６３】
メモリ２００には、音声データ、画像データおよびテキストデータなどのデータが所定のファイル形式で保存される。これらのデータとしては、カメラモジュール１５で撮影された写真のデータ、各パネルセンサ１２、２２により入力されたデータ、および通信モジュール３０４を介して外部から取り込んだデータなどが挙げられる。
【００６４】
メモリ２００には、各表示面１１ａ１、２１ａ１に表示されている画像に関する情報が記憶されている。各表示面１１ａ１、２１ａ１に表示されている画像には、アイコン、ボタンおよび写真などの絵と、テキスト領域に入力されたテキストとなどがある。画像に関する情報には、画像に係る処理の情報と、各表示面１１ａ１、２１ａ１において画像が表示されている位置とが含まれる。アイコンやボタンなどの画像に係る処理の情報には、アプリケーションやファイルなどの処理対象と、起動や終了などの処理内容とが含まれる。
【００６５】
メモリ２００には、第１および第２タッチキーに関する情報が記憶されている。第１および第２タッチキーに関する情報には、各タッチキーの入力を検出する各キーセンサ１４、２４と、各タッチキーに対応付けられた処理の情報とが含まれる。
【００６６】
たとえば、第１タッチキーＫ１１が短時間押される場合には、操作項目画面を第１表示面１１ａ１に表示する処理の情報が対応付けられている。また、第１タッチキーＫ１１が長時間押される場合には、最近利用したアプリケーションの一覧画面を第１表示面１１ａ１に表示する処理の情報が対応付けられている。第２タッチキーＫ２１が短時間押される場合には、操作項目画面を第２表示面２１ａ１に表示する処理の情報が対応付けられている。また、第２タッチキーＫ２１が長時間押される場合には、最近利用したアプリケーションの一覧を第２表示面２１ａ１に表示する処理の情報が対応付けられている。なお、操作項目画面には、操作項目を表わすアイコンが配列される。
【００６７】
第１タッチキーＫ１２および第２タッチキーＫ２２には、携帯電話機１の設定条件を変更するための設定画面を各表示面１１ａ１、２１ａ１に表示する処理の情報が対応付けられている。設定画面には、音量、画面輝度、実行中のアプリケーションの一覧などが表示される。
【００６８】
第１タッチキーＫ１３および第２タッチキーＫ２３には、直前に実行された処理が取り消されて１つ前の処理に戻る処理や、直前に表示されていたアプリケーションの画面を各表示面１１ａ１、２１ａ１に表示する処理の情報が対応付けられている。
【００６９】
ＣＰＵ１００は、キー入力回路３０３、各パネルセンサ１２、２２および各キーセンサ１４、２４からの信号に基づき、制御プログラムに従って、カメラモジュール１５、マイク３５、通信モジュール３０４、各液晶パネル１１ａ、２１ａ、スピーカ３８、スピーカ
３８等を動作させる。これにより、ＣＰＵ１００は、通話およびメール等の各種アプリケーションを実行する。
【００７０】
ＣＰＵ１００は、実行部として、ユーザによる入力に応じた処理を実行する。具体的には、各表示面１１ａ１、２１ａ１がユーザによりタッチされると、ＣＰＵ１００は各パネルセンサ１２、２２から入力位置に応じた位置信号を受け付ける。ＣＰＵ１００は、位置信号の入力位置に表示されている画像および画像に係る処理の情報を特定する。ＣＰＵ１００は、特定した処理の情報に従って処理対象のアプリケーションやファイルをメモリ２００から読み出して、アプリケーションに処理内容を実行させる。
【００７１】
たとえば、図４（ａ）に示すように、ユーザがアイコンＡをタッチすると、ＣＰＵ１００は、アイコンＡの処理対象であるアプリケーションＡをメモリ２００から読み出して実行する。
【００７２】
また、図６（ａ）および図７（ｂ）に示すように、後述するウィジェット一覧画面からウィジェットの画像がタッチされると、ＣＰＵ１００は、タッチされたウィジェットにリンクするアプリケーションをメモリ２００から読み出して実行する。
【００７３】
各キーカバー１３ａ、２３ａがユーザによりタッチされると、ＣＰＵ１００は各キーセンサ１４、２４から検出信号を受け付けるとともに、検出信号を出力したキーセンサ１４、２４を識別する。ＣＰＵ１００は、キーセンサ１４、２４が検出したタッチキーおよび各タッチキ１４、２４ーに対応付けられた処理の情報をメモリ２００の表示情報を基づいて特定し、処理の情報に従って処理を実行する。
【００７４】
たとえば、図４（ａ）に示す第１タッチキーＫ１１をユーザが短時間タッチすると、ＣＰＵ１００は操作項目画面の画像データをメモリ２００から読み出す。
【００７５】
ＣＰＵ１００は、判断部として、実行部により実行されたアプリケーションの画面を第１表示形態で複合表示領域１１ａ１、２１ａ１に表示できるか否かを判断する。
【００７６】
これは、アプリケーションが、単一表示領域または複合表示領域１１ａ１、２１ａ１の画面解像度などの表示規格に合わせて、画面の表示サイズを切り替えるように設定されているか否かにより判断される。なお、第１表示形態は、単一表示領域の表示規格に表示サイズを合わせてアプリケーションの画面を表示する形式である。第２表示形態は、複合表示領域１１ａ１、２１ａ１の表示規格に表示サイズを合わせてアプリケーションの画面を表示する形式である。
【００７７】
画面の表示サイズは、画面の表示サイズを拡大または縮小したり、画面の一部を切り出したりすることにより、変更される。たとえば、アプリケーションの画面のサイズが単一表示領域の表示規格に対応し、単一表示領域と複合表示領域１１ａ１、２１ａ１とでアスペクト比が異なることがある。このようなアプリケーションの画面を複合表示領域１１ａ１、２１ａ１に表示する場合、複合表示領域１１ａ１、２１ａ１のアスペクト比に合わせてアプリケーションの画面の一部を切り出し、その画面の一部を拡大することにより、画面の表示サイズを複合表示領域１１ａ１、２１ａ１の表示規格に合わせる。
【００７８】
たとえば、アプリケーションの設定に複合表示領域１１ａ１、２１ａ１への表示可能を示す情報（以下、「複合表示領域対応情報」と言う。）が含まれていると、画面の表示サイズが単一表示領域および複合表示領域１１ａ１、２１ａ１の表示規格に合わせて変更される。このため、アプリケーションの画面は、第２表示形態で単一表示領域に表示され、かつ第１表示形態で複合表示領域１１ａ１、２１ａ１に表示され得ると判断される。
【００７９】
一方、アプリケーションの設定に複合表示領域対応情報が含まれていなければ、画面の表示サイズが単一表示領域の表示規格に合うが、複合表示領域１１ａ１、２１ａ１の表示規格に合わない。このため、アプリケーションの画面は、第２表示形態で単一表示領域に正しく表示されるが、第１表示形態で複合表示領域１１ａ１、２１ａ１に表示されないと判断される。
【００８０】
なお、アプリケーションの画面を第２表示形態で複合表示領域１１ａ１に表示することも可能である。しかし、画面の表示サイズが複合表示領域１１ａ１、２１ａ１の表示規格に合っていないため、画面が複合表示領域１１ａ１、２１ａ１に正しく表示されない。たとえば、アプリケーションの画面の表示サイズが変更されない場合、図５（ａ）に示すように、単一表示領域に対応した表示サイズで画面が複合表示領域１１ａ１、２１ａ１の中央に表示されて、画面の周囲が黒く表示される。また、画面の表示サイズが拡大される場合、図５（ｂ）に示すように、画面が引き延ばされて表示され、アプリケーションの画面の内容が鮮明に表示されない。
【００８１】
ＣＰＵ１００は、表示制御部として、映像デコーダ３０６およびバックライト駆動回路３０５へ制御信号を出力する。たとえば、ＣＰＵ１００は、バックライト駆動回路３０５を制御し、各パネルバックライト１１ｂ、２１ｂおよび各キーバックライト１３ｂ、２３ｂを消灯する。一方、ＣＰＵ１００は、各パネルバックライト１１ｂ、２１ｂを点灯すると共に、映像デコーダ３０６を制御し、各表示面１１ａ１、２１ａ１に画像を表示させる。また、ＣＰＵ１００が各キーバックライト１３ｂ、２３ｂを点灯する。なお、ＣＰＵ１００は、各表示面１１ａ１、２１ａ１に画像を表示する際のコントラスト、輝度、画面サイズ、および画面の透明度なども制御する。
【００８２】
たとえば、ＣＰＵ１００は、ユーザ操作に応じて実行部により実行されたアプリケーション画面を各表示面１１ａ１、２１ａ１に表示する。なお、アプリケーション画面は、携帯電話機１の状態に応じて表示形態が異なる。
【００８３】
閉状態において、ＣＰＵ１００は、図４（ｂ）に示すように、アプリケーションの画面を第２表示形態で第１表示面１１ａ１に表示する。
【００８４】
開状態において、ＣＰＵ１００は、判断部の判断結果に応じた表示形態でアプリケーションの画面を各表示面１１ａ１、２１ａ１に表示する。
【００８５】
即ち、アプリケーションの画面が第１表示形態で複合表示領域１１ａ１、２１ａ１に表示され得ると判断部により判断される。この場合、ＣＰＵ１００は、複合表示領域１１ａ１、２１ａ１の表示規格に合わせて画面の表示サイズを調整して、メモリ２００に含まれる表示用のメモリ領域に複合表示領域１１ａ１、２１ａ１に表示する画面を生成する。これにより、図４（ｃ）に示すように、アプリケーションの画面が第１表示形態で複合表示領域１１ａ１、２１ａ１に表示される。このように、アプリケーションの画面は複合表示領域１１ａ１、２１ａ１の全体に表示され、かつ、画面に表示される絵や文字などの内容は、ゆがんだり、ぼけたりせずに、正しい形で明確に表示される。
【００８６】
一方、アプリケーションの画面が第１表示形態で複合表示領域１１ａ１、２１ａ１に表示され得ないと判断部により判断される場合、ＣＰＵ１００は、図８（ａ）に示すように、アプリケーションの画面を第２表示形態で第１表示面１１ａ１に表示し、所定の機能を示す画像を含む画面を第２表示面２１ａ１に表示する。所定の機能を示す画像を含む画面としては、アイコンの一覧を表示する操作項目画面、および、ウィジェットの一覧を表示する画面などが挙げられる。ウィジェット一覧画面には、所定または任意の１つまたは複
数のウィジェットの画像が表示される。たとえば、ウィジェット一覧画面にウィジェットの画像が横に並んで配置される。ユーザがウィジェットの画像にタッチして指を横にスライドすると、指の入力位置に応じてウィジェットの画像は横に移動して表示される。
【００８７】
ＣＰＵ１００は、異なるアプリケーションまたは処理の画面が各表示面１１ａ１、２１ａ１に表示されている場合、図６（ａ）などに示すように、ユーザにより操作対象になっているアクティブ状態の画面の縁に直線状のバー画像ＢＩを表示する。
【００８８】
ＣＰＵ１００は、ユーザの操作対象になっている表示面またはタッチキーを点灯する。なお、消灯しているタッチキーはユーザが操作されても、操作に応じた処理は実行されない。
【００８９】
＜第１実施形態の処理手順＞
図４（ａ）は、閉状態において、操作項目画面を第１表示面１１ａ１に表示した図である。図４（ｂ）は、閉状態において、アプリケーションＡの画面Ａを第１表示面１１ａ１に表示した図である。図４（ｃ）は、アプリケーションＡの画面Ａ１、Ａ２を複合表示領域１１ａ１、２１ａ１に表示した図である。図５（ａ）および図５（ｂ）は、アプリケーションＡの画面Ａおよびダイアログボックスを複合表示領域１１ａ１、２１ａ１に表示した図である。図６（ａ）は、アプリケーションＡの画面Ａ１を第１表示面１１ａ１に表示し、ウィジェット一覧画面を第２表示面２１ａ１に表示した図である。図６（ｂ）は、アプリケーションＡの画面Ａ１を第１表示面１１ａ１に表示し、ウィジェットにリンクするアプリケーションの画面ＡＷ２を第２表示面２１ａ１に表示した図である。図７（ａ）は、アプリケーションＡの画面Ａを複合表示領域１１ａ１、２１ａ１に表示した図である。図７（ｂ）は、アプリケーションＡの画面Ａを第１表示面１１ａ１に表示し、ウィジェット一覧画面を第２表示面２１ａ１に表示した図である。図８（ａ）は、アプリケーションＡの画面Ａを第１表示面１１ａ１に表示し、ウィジェット一覧画面を第２表示面２１ａ１に表示した図である。図８（ｂ）は、アプリケーションＡの画面Ａを第１表示面１１ａ１に表示し、ウィジェットにリンクするアプリケーションの画面ＡＷ２を第２表示面２１ａ１に表示した図である。図９および１０は、ユーザの操作に応じてアプリケーション画面を単一表示領域または複合表示領域１１ａ１、２１ａ１に表示する処理手順を示すフローチャートである。なお、画面Ａ１および画面Ａ２は連続して１つの画面Ａを形成する。
【００９０】
ユーザの操作に応じてアプリケーションを起動する操作がなされると、アプリケーション画面の表示を制御する処理がＣＰＵ１００により実行される。この制御処理では、アプリケーションの設定およびユーザの選択に応じて、開状態におけるアプリケーションの画面の表示形態が切り替えられる。
【００９１】
ユーザの操作によりアプリケーションが起動されるか否かが監視される（Ｓ１０１）。たとえば、図４（ａ）に示す操作項目画面においてアイコンＡがユーザによりタッチされると、アイコンＡが示すアプリケーションＡが起動される（Ｓ１０１：ＹＥＳ）。
【００９２】
次に、アプリケーションＡの画面Ａを表示する領域を特定するために、携帯電話機１の状態が判断される（Ｓ１０２）。
【００９３】
携帯電話機１が閉状態であれば（Ｓ１０２：ＮＯ）、第１表示面１１ａ１のみが外部に露出している。このため、図４（ｂ）に示すように、第１表示面１１ａ１にアプリケーションＡの画面Ａが第２表示形態で表示される（Ｓ１０３）。
【００９４】
一方、携帯電話機１が開状態であれば（Ｓ１０２：ＹＥＳ）、第１および第２表示面２１ａ１が外部に露出している。このため、複合表示領域１１ａ１、２１ａ１にアプリケー
ションＡの画面Ａが表示される。なお、携帯電話機１が開状態になるには、閉状態においてアプリケーションＡが起動され、画面Ａが第１表示面１１ａ１に表示されている状態において、携帯電話機１が開状態に切り替えられた場合と、開状態においてアプリケーションＡが起動された場合とがある。
【００９５】
アプリケーションＡの画面Ａを複合表示領域１１ａ１、２１ａ１に表示するとき、画面Ａが第１表示形態で表示できない可能性もある。これを特定するため、アプリケーションＡの設定に複合表示領域対応情報が含まれているか否かが判断される。アプリケーションＡの設定に複合表示領域対応情報が含まれていれば、画面Ａが第１表示形態で複合表示領域１１ａ１、２１ａ１に表示され得ると判断される（Ｓ１０４：ＹＥＳ）。よって、たとえば、携帯電話機１が閉状態から開状態に切り替えられた場合には、アプリケーションＡの表示形態が第２表示形態から第１表示形態に切り替えられ、図４（ｃ）に示すように、画面Ａを構成する画面Ａ１およびＡ２が第１表示形態で複合表示領域１１ａ１、２１ａ１に表示される（Ｓ１０５）。
【００９６】
また、画面Ａ１およびＡ２が複合表示領域１１ａ１、２１ａ１に表示されると共に、ウィジェット一覧画面を表示するアプリケーションが起動される（Ｓ１０６）。ここでは、アプリケーションＡがフォアグランドで実行され、画面Ａ１およびＡ２が複合表示領域１１ａ１、２１ａ１に表示されている。このため、ウィジェット一覧画面のアプリケーションはバックグランドで実行されて、ウィジェット一覧画面は表示されない。
【００９７】
しかし、第２表示面２１ａ１に表示される画面を切り替えるための切替ボタンＳＢが画面Ａ２上に表示される。切替ボタンＳＢがタッチされると（Ｓ１０７：ＹＥＳ）、図６（ａ）に示すように、画面Ａ２に代えて、ウィジェット一覧画面が第２表示面２１ａ１に表示される（Ｓ１０８）。このとき、第１表示面１１ａ１には画面Ａ１が引き続き表示されている。また、第２表示面２１ａ１に表示されるウィジェット一覧画面上に切替ボタンＳＢが表示される。
【００９８】
ウィジェット一覧画面上の切替ボタンＳＢがタッチされると（Ｓ１０９：ＹＥＳ）、図４（ａ）に示すように、ウィジェット一覧画面に代えて、画面Ａ２が第２表示面２１ａ１に表示される。このため、画面Ａ１、Ａ２が複合表示領域１１ａ１、２１ａ１に表示される（Ｓ１１０）。
【００９９】
一方、図６（ａ）に示すウィジェット一覧画面が表示されている状態において、切替ボタンＳＢがタッチされず（Ｓ１０９：ＮＯ）、ウィジェットＷ２の画像Ｗ２がタッチされると（Ｓ１１１：ＹＥＳ）、ウィジェットＷ２にリンクするアプリケーションＡＷ２を起動する。そして、図６（ｂ）に示すように、アプリケーションＡＷ２の画面ＡＷ２が第２表示面２１ａ１に表示される（Ｓ１１２）。このアプリケーションＡＷ２の画面ＡＷ２により、ユーザは、ウィジェットＷ２で表示されている内容よりさらに詳細な情報を見ることができると共に、表示された内容に応じた操作をすることもできる。
【０１００】
アプリケーションＡＷ２の画面ＡＷ２上に、アプリケーションＡＷ２を終了させるための終了ボタンＥＢが表示される。終了ボタンＥＢがタッチされると（Ｓ１１３：ＹＥＳ）、アプリケーションＡＷ２が終了し、画面ＡＷ２に代えて、図６（ａ）に示すウィジェット一覧画面が第２表示面２１ａ１に表示される（Ｓ１０８）。
【０１０１】
一方、切替ボタンＳＢやウィジェットがタッチされず（Ｓ１０７：ＮＯ、Ｓ１１０、Ｓ１１１：ＮＯ）、アプリケーションＡを終了する操作がユーザによりなされると（Ｓ１１４：ＹＥＳ）、処理が終了する。
【０１０２】
また、Ｓ１０４の処理において、アプリケーションＡの設定に複合表示領域対応情報が含まれていなければ、画面Ａが第１表示形態で複合表示領域１１ａ１、２１ａ１に表示できないと判断される（Ｓ１０４：ＮＯ）。そこで、図５（ａ）に示すように、画面Ａを第２表示形態で複合表示領域１１ａ１、２１ａ１に表示され、画面Ａ上にダイアログボックスが配される（Ｓ１１５）。ダイアログボックスには、「表示形態を継続しますか」とのメッセージ、”ＹＥＳ”ボタン、”ＮＯ”ボタンが表示される。
【０１０３】
このように、画面Ａが複合表示領域１１ａ１、２１ａ１に表示されると共に、ウィジェット一覧画面を表示するアプリケーションがバックグラウンドで起動される（Ｓ１１６）。この場合、複合表示領域１１ａ１、２１ａ１には画面Ａが既に表示されているため、ウィジェット一覧画面は表示されない。
【０１０４】
ダイアログボックスのボタンがタッチされると、“ＹＥＳ”ボタンまたは“ＮＯ”ボタンの何れがタッチされたか判断される（Ｓ１１７）。タッチされたボタンが“ＮＯ”ボタンでない、すなわち、“ＹＥＳ”ボタンであれば（Ｓ１１７：ＮＯ）、“ＹＥＳ”ボタンに応じた表示領域がメモリ２００に記憶される（Ｓ１１８）。すなわち、ユーザにより、開状態において画面Ａが第２表示形態で複合表示領域１１ａ１、２１ａ１に表示されている状態を継続することが選択された。よって、アプリケーションＡについては開状態で画面Ａを第２表示形態で表示する表示領域として、複合表示領域１１ａ１、２１ａ１がメモリ２００に記憶される。これにより、アプリケーションＡが次回起動される際には、開状態において画面Ａは第２表示形態で、メモリ２００に記憶されている複合表示領域１１ａ１、２１ａ１に表示される。
【０１０５】
このように、タッチされたボタンが“ＹＥＳ”ボタンであれば（Ｓ１１７：ＮＯ）、現在の表示状態が継続される。よって、画面Ａは複合表示領域１１ａ１、２１ａ１に対応していないが、画面Ａは第２表示形態で複合表示領域１１ａ１、２１ａ１に表示される。そして、図７（ａ）に示すように、メッセージは削除される（Ｓ１１９）。
【０１０６】
なお、第２表示面２１ａ１に表示される画面を切り替えるための切替ボタンＳＢが第２表示面２１ａ１に表示される。切替ボタンＳＢがタッチされると（Ｓ１０７：ＹＥＳ）、図７（ｂ）に示すように、ウィジェット一覧画面が第２表示面２１ａ１に表示される（Ｓ１０８）。ウィジェット一覧画面上の切替ボタンＳＢがタッチされると（Ｓ１０９：ＹＥＳ）、ウィジェット一覧画面に代えて、図７（ａ）に示す画面Ａが第２表示面２１ａ１に表示される（Ｓ１１０）。また、図７（ｂ）に示すウィジェット一覧画面において、ウィジェットＷ２の画像Ｗ２がタッチされると（Ｓ１０９：ＮＯ、Ｓ１１１：ＹＥＳ）、ウィジェットＷ２にリンクするアプリケーションＡＷ２の画面ＡＷ２が第２表示面２１ａ１に表示される（Ｓ１１２）。アプリケーションＡＷ２の終了ボタンＥＢがタッチされると（Ｓ１１３：ＹＥＳ）、ウィジェット一覧画面が第２表示面２１ａ１に表示される（Ｓ１０８）。また、切替ボタンＳＢやウィジェットがタッチされず（Ｓ１０７：ＮＯ、Ｓ１１０、Ｓ１１１：ＮＯ）、アプリケーションＡを終了する操作がユーザによりなされると（Ｓ１１４：ＹＥＳ）、処理が終了する。
【０１０７】
Ｓ１１７の処理において、“ＮＯ”ボタンがタッチされ場合には（Ｓ１１７：ＹＥＳ）、ユーザにより、アプリケーションＡの画面Ａは第２表示形態で複合表示領域１１ａ１、２１ａ１に表示されている表示状態を継続しないことが選択された。このため、アプリケーションＡについては開状態で画面Ａを第２表示形態で表示する表示領域として、第１表示面１１ａ１または第２表示面２１ａ１の単一表示領域がメモリ２００に記憶される（Ｓ１２０）。
【０１０８】
そして、図８（ａ）に示すように、画面Ａは第１表示面１１ａ１に表示され、ウィジェ
ット一覧画面が第２表示面２１ａ１に表示される（Ｓ１２１）。ウィジェット一覧画面において、ウィジェットＷ２の画像Ｗ２がタッチされると（Ｓ１２２：ＹＥＳ）、図８（ｂ）に示すように、ウィジェットＷ２にリンクするアプリケーションＡＷ２の画面ＡＷ２が第２表示面２１ａ１に表示される（Ｓ１２３）。画面ＡＷ２上の終了ボタンＥＢがタッチされると（Ｓ１２４：ＹＥＳ）、画面ＡＷ２に代えて、図８（ａ）に示すウィジェット一覧画面が第２表示面２１ａ１に表示される（Ｓ１２１）。一方、ウィジェットや終了ボタンＥＢがタッチされず（Ｓ１２２：ＮＯ、Ｓ１２４：ＮＯ）、アプリケーションＡを終了する操作がなされると（Ｓ１２５：ＹＥＳ）、処理が終了する。
【０１０９】
以上、本実施形態によれば、アプリケーションの画面が第１表示形態で複合表示領域１１ａ１、２１ａ１に表示できない場合、一度、アプリケーションの画面が第２表示形態で複合表示領域１１ａ１、２１ａ１に表示される。このため、ユーザは、表示された画面の状態を見た上で、アプリケーションの画面を第２表示形態で複合表示領域１１ａ１、２１ａ１に表示するか、または単一表示領域に表示するか、を選択することができる。このように、ユーザの意図に応じて、アプリケーションの画面の表示領域を変更することができる。
【０１１０】
また、本実施形態によれば、第１表示形態で表示できないアプリケーションの画面を単一表示領域に表示することがユーザにより選択されると、アプリケーションの画面は第２表示形態で第１表示面１１ａ１に表示される。また、第２表示面２１ａ１にウィジェット一覧画面が表示される。このように、第２表示面２１ａ１が無駄にならず、表示面を有効に利用することができる。
【０１１１】
しかも、ウィジェット一覧画面には、所定の機能を示すウィジェットの画像が表示される。このため、ユーザは、アプリケーションを起動することなく、ウィジェットの画像により表示されている情報を確認することができ、利便性に優れる。
【０１１２】
さらに、アプリケーションの画面が第１表示形態で複合表示領域１１ａ１、２１ａ１に表示される場合や、アプリケーションの画面が第２表示形態で複合表示領域１１ａ１、２１ａ１に表示することがユーザにより選択された場合、アプリケーションの画面は複合表示領域１１ａ１、２１ａ１に表示される。このような場合でも、携帯電話機１が開状態になると、ウィジェット一覧画面のアプリケーションが起動される。このため、切替ボタンＳＢにより、ユーザは、アプリケーションを終了することなく、ウィジェット一覧画面を表示することができ、操作性に優れる。
【０１１３】
＜その他の実施形態＞
以上、本発明の実施の形態について説明したが、本発明は、上記実施の形態によって何ら制限されるものではなく、また、本発明の実施の形態も、上記以外に種々の変更が可能である。
【０１１４】
たとえば、上記実施形態では、アプリケーションの画面が複合表示領域１１ａ１、２１ａ１に対応していない場合、アプリケーションの画面およびメッセージを複合表示領域１１ａ１、２１ａ１に表示した上で、ユーザに表示形態を選択させる構成とされている。これに対して、アプリケーションの画面が第１表示面１１ａ１または第２表示面２１ａ１に自動的に表示されてもよい。
【０１１５】
さらに、上記実施形態では、複合表示領域１１ａ１、２１ａ１に対応していないアプリケーションの画面が単一表示領域に表示するように選択されると、アプリケーションの画面は第１表示面１１ａ１に表示され、ウィジェット一覧画面が第２表示面２１ａ１に表示された。しかしながら、アプリケーションの画面が第２表示面２１ａ１に表示され、ウィ
ジェット一覧画面が第１表示面１１ａ１に表示されてもよい。
【０１１６】
また、上記実施形態では、切替ボタンＳＢがタッチされると、ウィジェット一覧画面が第２表示面２１ａ１に表示されたが、ウィジェット一覧画面が第１表示面１１ａ１に表示されてもよい。
【０１１７】
また、上記実施形態では、図６（ａ）、図７（ｂ）および図８（ａ）に示すように、携帯電話機１の向きが横にされたとき、ウィジェット一覧画面ではウィジェット画像が横に並ぶように配置された。これに対して、携帯電話機１の向きが縦にされたとき、図１１（ａ）に示すように、ウィジェット一覧画面ではウィジェット画像が斜めに並ぶように配置されてもよい。ユーザがウィジェットの画像をタッチして斜めに指をスライドさせると、ウィジェット画像の表示位置は斜めに移動する。また、図１１（ｂ）に示すように、ウィジェット一覧画面の中央に表示されるウィジェット画像の詳細情報が表示されてもよい。
【０１１８】
さらに、上記実施形態では、携帯電話機１が閉状態から開状態に切り替えられた際、アプリケーションの画面が第１表示面１１ａ１に表示され、ウィジェット一覧画面が第２表示面２１ａ１に表示された。このとき、いずれの画面をアクティブ状態にするかを設定できるようにしてもよい。たとえば、画面が第１表示面１１ａ１に表示されるアプリケーションに応じてアクティブ状態の画面を設定することもできる。アプリケーションがゲームや動画などであれば、このアプリケーションの画面がアクティブ状態に設定される。メールやウェブブラウザなどのアプリケーションであれば、ウイジェット一覧画面がアクティブ状態に設定される。
【０１１９】
さらに、上記実施形態では、携帯電話機１を用いたが、ＰＤＡや携帯ゲーム機などの携帯端末装置を用いることもできる。
【０１２０】
この他、本発明の実施の形態は、特許請求の範囲に示された技術的思想の範囲内において、適宜、種々の変更が可能である。たとえば、上記実施形態の一部または全部を組み合わせることができる。
【符号の説明】
【０１２１】
１  携帯電話機
１０  第１キャビネット
１１  第１ディスプレイ
１１ａ１  第１表示面
１２  第１パネルセンサ
２０  第２キャビネット
２１  第２ディスプレイ
２１ａ１  第２表示面
２２  第２パネルセンサ
１８  突起部
２７  軸部
３９  案内溝
１００  ＣＰＵ
２００  メモリ
【図１】
0005709603.tif 000002
【図２】
0005709603.tif 000003
【図３】
0005709603.tif 000004
【図４】
0005709603.tif 000005
【図５】
0005709603.tif 000006
【図６】
0005709603.tif 000007
【図７】
0005709603.tif 000008
【図８】
0005709603.tif 000009
【図９】
0005709603.tif 000010
【図１０】
0005709603.tif 000011
【図１１】
0005709603.tif 000012